(57)【特許請求の範囲】
【請求項１】
複数の回線に接続される通信端末に対して選択的に通信を行う通信装置において、
前記複数の回線との接続・交換を行う回線制御手段と、
前記複数の回線に接続された通信端末に発呼する発呼手段と、
前記発呼手段により発呼したとき、入力された電話番号と実際に発呼した電話番号を通信終了後の通信レポートに発呼情報として記録する記録手段と、を備え、
前記発呼手段は、前記回線制御手段によって接続交換された同一宛先の通信端末に対して通信コストの低い回線から順に発呼を試みることを特徴とする通信装置。
【請求項２】
複数の回線に接続される通信端末に対して選択的に通信を行う通信装置において、
前記複数の回線との接続・交換を行う回線制御手段と、
同一宛先に対応して前記複数の回線に接続される通信端末の電話番号情報を設定登録し、前記複数の回線に接続された通信端末に対して試みられる複数の発呼の優先順位を設定する登録手段と、
前記複数の回線に接続された通信端末に発呼する発呼手段と、
前記発呼手段により発呼したとき、入力された電話番号と実際に発呼した電話番号を通信終了後の通信レポートに発呼情報として記録する記録手段と、を備え、
前記発呼手段は、前記登録手段に設定した発呼の優先順位に基づき、前記回線制御手段によって接続交換された同一宛先の通信端末に対して順に発呼を試みることを特徴とする通信装置。
【請求項３】
前記発呼手段による呼接続後の発呼先の通信端末とのモデムトレーニングに際して、該モデムトレーニングが進まなかったとき、当該発呼先の通信端末の前記登録手段に登録された番号情報を前記発呼先の通信端末とは異なる特定された通信端末に送出する発呼情報送出手段を設けたことを特徴とする請求項２に記載の通信装置。
【請求項４】
前記複数の回線がアナログ内線、アナログ外線、及びデジタル外線を含むことを特徴とする請求項１から３の何れかに記載の通信装置。
【請求項５】
前記複数の回線に接続される通信端末に対して選択的に通信を行う通信装置はＧ３、Ｇ４ファクシミリ通信方式に対応する通信端末を含むことを特徴とする請求項１から４の何れかに記載の通信装置。
【請求項６】
前記発呼手段が、同一宛先の通信端末への発呼に際して、該発呼先の通信端末からビジー信号が返送され、リダイヤル発呼処理によっても呼が接続できなかったとき、前記登録手段に登録した発呼の優先順位に基づき、当該通信端末に対して順次選択して発呼することを特徴とする請求項１または２に記載の通信装置。
【請求項７】
前記発呼手段が、前記発呼先の通信端末からビジー信号が返送されたとき、リダイヤル発呼処理の前に前記登録手段に登録した発呼の優先順位に基づき、当該通信端末に対して順次選択して発呼することを特徴とする請求項１または２に記載の通信装置。
【発明の詳細な説明】
【技術分野】
【０００１】
本発明は通信装置に関し、特に、複数の通信機能を有する通信端末に発呼する際に、より有利な通信方式を自動選択して発呼する通信装置に関する。
【背景技術】
【０００２】
近時、ファクシミリ装置の機能が向上し、グループ４（以下、Ｇ４）の通信機能を備えたファクシミリ装置が製品化されている。しかし、ファクシミリ装置の普及は、いまだグループ３（以下、Ｇ３）の通信機能を備えたファクシミリ装置が主流であることから、Ｇ４の通信機能だけでなく、Ｇ３の通信機能をも備えたファクシミリ装置として製品化されている。
【０００３】
一方、Ｇ４の機能を備えたファクシミリ装置を収容できる網としては、データ網（ＣＳＰＤＮ、ＰＳＰＤＮ）やＩＳＤＮ（サービス総合ディジタル網）等のデジタル回線網が存在している。
【０００４】
そこで、Ｇ４とＧ３の両機能を利用するため、データ網に接続されるファクシミリ装置はＧ４ポート（データ網用ポート）とＧ３ポート（ＰＳＴＮ：公衆電話回線網用ポート）の２つのポートを有しており、ＩＳＤＮに接続されるファクシミリ装置はＧ４とＧ３共通のＩＳＤＮポートを１つ備えている。
【０００５】
しかしながら、我が国においては、このデジタル回線につながる端末装置の電話番号は、従来のアナログ電話回線の電話番号とは異なった番号体系となっており、Ｇ４のファクシミリ装置においては、Ｇ３の電話番号をそのまま使用することができないため、Ｇ４用の電話番号も設定登録されている。
【０００６】
また、その他のＩＳＤＮに接続されるＩＳＤＮ通信装置としては、ファクシミリ蓄積交換装置やファクシミリメール装置等のファクシミリ通信装置があり、ファクシミリ蓄積交換装置やファクシミリメール装置等のファクシミリ通信装置は画情報の転送サービス等を提供する。
【０００７】
また、ファクシミリ蓄積交換装置等のファクシミリ通信装置においては、ＩＳＤＮとＰＳＴＮとを収納したものがあり、相手先に対応して回線を使い分けている。この場合、送信先がＧ４ファクシミリ装置であると、Ｇ４モードで通信を行い、相手先がＧ３ファクシミリ装置であると、Ｇ３モードで通信を行う。
【０００８】
また、Ｇ４ポートともに複数のＧ３ポートを備えたファクシミリ装置やファクシミリ蓄積交換装置もあり、これらのＧ３ポートには内線と外線を接続し、内線用と外線用の電話番号が設定登録されている。したがって、発呼先のファクシミリ装置が同様にＧ３ポートの外線とＧ３ポートの内線に接続されている場合は、オペレータが内線用の電話番号を選択して発呼することで通信コストを低減することを可能にしている。
【発明の開示】
【発明が解決しようとする課題】
【０００９】
しかしながら、このような従来のＩＳＤＮ回線とＰＳＴＮ回線とを収納して複数のポートを備えたファクシミリ装置やファクシミリ蓄積交換装置にあっては、ポートにＧ３外線とＧ３内線が接続されている場合、通信コストの安いポートへの発呼は、オペレータの選択操作に任されていたため、内線用の電話番号を知らないオペレータは、通常の外線用の電話番号に発呼してしまい、通信コストを増加させる原因となっていた。
【００１０】
また、Ｇ４ポートとＧ３ポートを備えたファクシミリ装置やファクシミリ蓄積交換装置どうしの通信の場合もポートの選択は、オペレータの選択操作に任されていたため、Ｇ４ポートとＧ３ポートを併用できることを知らないオペレータの場合、Ｇ３ポートを使用して発呼してしまうと、やはり通信コストを増大させるという問題があった。
【００１１】
このような問題を解決することのできる、内・外線やＧ３・Ｇ４ファクシミリ回線に接続して通信する複数の通信機能を有する第１の通信装置としては、複数の通信方式に対応する複数の通信機能を有する通信手段と、該複数の通信方式に対応する通信機能を備える通信端末が該各通信機能に対応して持つ複数の電話番号情報を登録する登録手段と、を備え、入力される発呼番号が登録手段に登録されているとき、より有利な通信機能の電話番号を選択して発呼する発呼機能を設けることにより、さらに、第２の通信装置として、先の第１の通信装置において、前記登録手段に複数の内・外線に接続する通信機能を備える通信端末が該各内・外線にそれぞれ対応して持つ電話番号情報を登録し、前記発呼機能が、入力される発呼番号が登録手段に登録されている外線電話番号のとき、内線の電話番号を選択して発呼することにより、オペレータが発呼先通信端末が内線に接続されていることを意識せずに内線を使用した通信を行うことができ、内・外線に接続された通信端末に対する通信コストを確実に低減することができる。
【００１２】
また、第３の通信装置は、先の第１の通信装置において、前記通信手段が複数の通信機能としてＧ３、Ｇ４ファクシミリ通信方式に対応する通信機能を設けるとともに、前記登録手段に該Ｇ３、Ｇ４ファクシミリ通信方式に対応する通信機能を備えるファクシミリ通信端末が該Ｇ３、Ｇ４ファクシミリ通信方式にそれぞれ対応して持つ電話番号情報を登録し、前記発呼機能が、入力される発呼番号が登録手段に登録されているＧ３用電話番号のとき、Ｇ４用の電話番号を選択して発呼することにより、発呼先ファクシミリ通信端末がＧ３及びＧ４対応のとき、オペレータがＧ３用の電話番号で発呼してもＧ４用の電話番号で発呼することができ、確実にＧ４通信を行うことができ、Ｇ３・Ｇ４対応のファクシミリ通信端末に対する通信コストを確実に低減することができる。
【００１３】
また、第４の通信装置は、先の第２の通信装置において、前記発呼機能が、前記内・外線の電話番号を持つ通信端末への内線番号による発呼あるいは外線番号による発呼に際して該発呼先の通信端末からビジー信号が返送され、リダイヤル発呼処理によっても呼が接続できなかったとき、前記登録手段に登録した当該通信端末の外線電話番号あるいは内線電話番号により発呼することにより、発呼先通信端末がビジー以外の状態で通信が行えない場合に、オペレータが介在せずに他の回線を使用して通信を行うことができ、オペレータによる再発呼操作の手間を省くことができる。
【００１４】
また、第５の通信装置は、先の第４の通信装置において、前記発呼機能が、前記発呼先の通信端末からビジー信号が返送されたとき、リダイヤル発呼処理の前に前記登録手段に登録した当該通信端末の外線電話番号あるいは内線電話番号により発呼することにより、再発呼操作の手間を省くことができるとともに、送信開始までの時間を短縮することができる。
【００１５】
また、第６の通信装置は、先の第１、２あるいは３の通信装置において、前記発呼機能の使用と未使用を指示する指示手段を設けることにより、必要に応じて発呼機能を使用することができる。
【００１６】
また、第７の通信装置は、先の第１、２あるいは３の通信装置において、前記発呼機能により発呼したとき、入力された電話番号と実際に発呼した電話番号を通信終了後の通信結果レポート等に発呼情報として記録する記録手段を設けることにより、入力された電話番号と実際に発呼した電話番号をオペレータに知らせることができ、発呼時の電話番号の変更によるオペレータの不安を解消することができる。
【００１７】
また、第８の通信装置は、先の第２あるいは３の通信装置において、前記発呼機能による呼接続後の発呼先の通信端末あるいはファクシミリ通信端末とのモデムトレーニングに際して、該モデムトレーニングが進まなかったとき、当該発呼先の通信端末あるいはファクシミリ通信端末の前記登録手段に登録された番号情報を通信終了後の通信結果レポート等に出力する発呼情報出力手段を設けることにより、トレーニングの失敗は、特に発呼先通信端末が内線接続で、発呼対象となる通信端末の設置場所が変更されて内線番号が変更されたことを関係ユーザーに連絡されていない場合、通信を行ったときに出力される登録された内線電話番号の確認のための連絡を通信端末の設置先にとることができ、内線番号が変更されたときの対応を早くすることができる。
【００１８】
そこで本発明は、内・外線やＧ３・Ｇ４回線を収容して通信端末の接続交換をする通信装置においても、内・外線やＧ３・Ｇ４ファクシミリ回線に接続して通信する複数の通信機能を有する通信端末あるいはファクシミリ通信端末が該通信機能毎に持つ電話番号情報を登録し、入力される発呼先電話番号が登録されているとき、より有利な通信機能の方の電話番号を選択して発呼する発呼機能を有することにより、通信時間と通信コストを確実に低減する通信装置を提供することを目的とする。
【課題を解決するための手段】
【００１９】
請求項１記載の発明は、複数の回線に接続される通信端末に対して選択的に通信を行う通信装置において、前記複数の回線との接続・交換を行う回線制御手段と、前記複数の回線に接続された通信端末に発呼する発呼手段と、前記発呼手段により発呼したとき、入力された電話番号と実際に発呼した電話番号を通信終了後の通信レポートに発呼情報として記録する記録手段と、を備え、前記発呼手段は、前記回線制御手段によって接続交換された同一宛先の通信端末に対して通信コストの低い回線から順に発呼を試みることを特徴としている。
【００２０】
請求項２記載の発明は、複数の回線に接続される通信端末に対して選択的に通信を行う通信装置において、前記複数の回線との接続・交換を行う回線制御手段と、同一宛先に対応して前記複数の回線に接続される通信端末の電話番号情報を設定登録し、前記複数の回線に接続された通信端末に対して試みられる複数の発呼の優先順位を設定する登録手段と、前記複数の回線に接続された通信端末に発呼する発呼手段と、前記発呼手段により発呼したとき、入力された電話番号と実際に発呼した電話番号を通信終了後の通信レポートに発呼情報として記録する記録手段と、を備え、前記発呼手段は、前記登録手段に設定した発呼の優先順位に基づき、前記回線制御手段によって接続交換された同一宛先の通信端末に対して順に発呼を試みることを特徴としている。
【００２１】
請求項３記載の発明は、請求項２に記載の発明において、前記発呼手段による呼接続後の発呼先の通信端末とのモデムトレーニングに際して、該モデムトレーニングが進まなかったとき、当該発呼先の通信端末の前記登録手段に登録された番号情報を前記発呼先の通信端末とは異なる特定された通信端末に送出する発呼情報送出手段を設けたことを特徴としている。
【００２２】
請求項４記載の発明は、請求項１から３の何れかに記載の発明において、前記複数の回線がアナログ内線、アナログ外線、及びデジタル外線を含むことを特徴としている。
【００２３】
請求項５記載の発明は、請求項１から４の何れかに記載の発明において、前記複数の回線に接続される通信端末に対して選択的に通信を行う通信装置はＧ３、Ｇ４ファクシミリ通信方式に対応する通信端末を含むことを特徴としている。
【００２４】
請求項６記載の発明は、請求項１あるいは２記載の発明において、前記発呼手段が、同一宛先の通信端末への発呼に際して、該発呼先の通信端末からビジー信号が返送され、リダイヤル発呼処理によっても呼が接続できなかったとき、前記登録手段に登録した発呼の優先順位に基づき、当該通信端末に対して順次選択して発呼することを特徴としている。
【００２５】
請求項７記載の発明は、請求項１または２に記載の発明において、前記発呼手段が、前記発呼先の通信端末からビジー信号が返送されたとき、リダイヤル発呼処理の前に前記登録手段に登録した発呼の優先順位に基づき、当該通信端末に対して順次選択して発呼することを特徴としている。
【発明の効果】
【００３７】
したがって、入力された電話番号と実際に発呼した電話番号をオペレータに知らせることができ、発呼時の電話番号の変更によるオペレータの不安を解消することができる。
【００３８】
本発明では、さらに、前記発呼機能による呼接続後の発呼先の通信端末あるいはファクシミリ通信端末とのモデムトレーニングに際して、該モデムトレーニングが進まなかったとき、当該発呼先の通信端末あるいはファクシミリ通信端末の前記登録手段に登録された番号情報を前記他の外線に接続される特定された通信端末あるいはファクシミリ通信端末に送出する発呼情報送出手段を設けることができる。
【００３９】
したがって、トレーニングの失敗は、特に発呼先ファクシミリ通信端末が内線接続で、発呼対象となるファクシミリ通信端末の設置場所が変更されて内線番号が変更されたことを関係ユーザーに連絡されていない場合、通信を行ったときに出力される登録された電話番号情報の確認のための連絡をファクシミリ通信端末の設置先にとることができ、電話番号が変更されたときの対応を早くすることができる。
【００４０】
本発明によれば、同一宛先電話番号により各種通信機能の異なる複数の内・外線と他の外線が収容され、該同一宛先電話番号の内・外線に接続される各種通信機能を備える通信端末と他の外線に接続される通信端末に対応して通信を行う複数の通信機能を有する通信手段と、通信端末から受信した情報や該同一宛先電話番号の内・外線に接続される通信端末の端末情報および内・外線相互の通信端末で行われる通信の通信管理情報（例えば、通信状況等）を蓄積する蓄積手段と、前記同一宛先電話番号の内・外線で接続される通信端末の通信機能毎に電話番号情報を設定登録する登録手段と、を備え、同一宛先電話番号で内・外線および他の外線との接続交換を行い、内・外線および他の外線の通信端末からの情報を受信して蓄積手段に一旦蓄積した後、所定の宛先に送信することを含む種々の通信サービスを提供するとともに、該通信サービス状況を管理して各種サービス情報（例えば、その通信結果等を含む所定の通信レポート等）を該内・外線の通信端末に送出するとともに、入力される発呼番号が登録手段に登録されているとき、より有利な通信機能の内・外線の電話番号を選択して該同一宛先電話番号の内・外線で接続される通信端末に発呼する発呼機能を設けているので、オペレータが発呼先通信端末が内線に接続されていることを意識せずに内線を使用した通信を行うことができ、同一宛先の内・外線に接続された通信端末に対する通信コストを確実に低減することができる。
【００４１】
本発明によれば、さらに、前記通信制御手段に複数の通信機能としてＧ３、Ｇ４ファクシミリ通信方式に対応する通信機能を設けるとともに、前記登録手段に同一宛先電話番号の内・外線で接続される通信端末として該Ｇ３、Ｇ４ファクシミリ通信方式に対応する通信機能を備えるファクシミリ通信端末が該Ｇ３、Ｇ４ファクシミリ通信方式にそれぞれ対応して電話番号情報を設定登録し、前記発呼機能が、入力される発呼番号が登録手段に登録されているとき、より通信機能の有利な電話番号から順次選択して発呼するので、発呼先ファクシミリ通信端末がＧ３及びＧ４対応のとき、オペレータがＧ３用の電話番号で発呼してもＧ４用の電話番号で発呼することができ、確実にＧ４通信を行うことができ、Ｇ３・Ｇ４対応のファクシミリ通信端末に対する通信コストを確実に低減することができる。
【００４２】
本発明によれば、さらに、前記発呼機能が、前記Ｇ３、Ｇ４ファクシミリ通信方式にそれぞれ対応して電話番号を設定登録したファクシミリ通信端末への発呼に際して該発呼先のファクシミリ通信端末からビジー信号が返送され、リダイヤル発呼処理によっても呼が接続できなかったとき、前記登録手段に登録した当該ファクシミリ通信端末のより通信機能の有利な電話番号から順次選択して発呼するので、発呼先ファクシミリ通信端末がビジー以外の状態で通信が行えない場合に、オペレータが介在せずに他の回線を使用して通信を行うことができ、オペレータによる再発呼操作の手間を省くことができる。
【００４３】
本発明によれば、さらに、前記発呼機能が、前記発呼先のファクシミリ通信端末からビジー信号が返送されたとき、リダイヤル発呼処理の前に前記登録手段に登録した当該ファクシミリ通信端末のより通信機能の有利な電話番号から順次選択して発呼するので、同様に再発呼操作の手間を省くことができるとともに、送信開始までの時間を短縮することができる。
【００４４】
本発明によれば、さらに、前記発呼機能の使用と未使用を指示する指示手段を設けているので、必要に応じて発呼機能を使用することができる。
【００４５】
本発明によれば、さらに、前記発呼機能により発呼したとき、入力された電話番号と実際に発呼した電話番号を通信終了後の通信レポートに発呼情報として記録する記録手段を設けているので、入力された電話番号と実際に発呼した電話番号をオペレータに知らせることができ、発呼時の電話番号の変更によるオペレータの不安を解消することができる。
【００４６】
本発明によれば、さらに、前記発呼機能による呼接続後の発呼先の通信端末あるいはファクシミリ通信端末とのモデムトレーニングに際して、該モデムトレーニングが進まなかったとき、当該発呼先の通信端末あるいはファクシミリ通信端末の前記登録手段に登録された番号情報を前記他の外線に接続される特定された通信端末あるいはファクシミリ通信端末に送出する発呼情報送出手段を設けているので、トレーニングの失敗は、特に発呼先ファクシミリ通信端末が内線接続で、発呼対象となるファクシミリ通信端末の設置場所が変更されて内線番号が変更されたことを関係ユーザーに連絡されていない場合、通信を行ったときに出力される登録された電話番号情報の確認のための連絡をファクシミリ通信端末の設置先にとることができ、電話番号が変更されたときの対応を早くすることができる。
【発明を実施するための最良の形態】
【００４７】
本発明の実施例を説明する前に、本発明の理解を助けるために、まず、上記課題を解決する通信装置の発明を適用したファクシミリ装置の一例を図１〜図５を用いて具体的に説明する。
【００４８】
図１は、ファクシミリ装置１のブロック図であり、ファクシミリ装置１は、ＣＰＵ２、メインメモリ３、パラメータメモリ４、バッテリ５、ＲＯＭ６、キャラクタジェネレータ７、時計回路８、ＤＭＡコントローラ９、操作表示装置10、プロッタ11、スキャナ12、符号化圧縮装置13、14、符号再生装置15、画像処理装置16、補助記憶装置17及び通信制御装置18等から構成されており、各部はシステムバス19に接続されている。
【００４９】
ＣＰＵ（Central Processing Unit)２は、必要に応じてＲＯＭ５内のプログラムをメインメモリ３に読み込み、メインメモリ３に読み込んだプログラムに従ってファクシミリ装置１の各部を制御して、ファクシミリ装置１としてのシーケンスを実行するとともに、後述する通信制御処理を実行する。
【００５０】
メインメモリ３は、ＣＰＵ２がＲＯＭ５に格納されたプログラムを実行する際にプログラムを読み込むメモリエリアを形成する。
【００５１】
パラメータメモリ（登録手段）４は、ＣＰＵ２がプログラムを実行する際に必要となる各種データを格納するメモリエリアを形成し、特に、このファクシミリ装置１では、図２に示すようなＧ４−Ｇ３外線−Ｇ３内線の電話番号に対応する電話番号テーブルを登録するメモリエリアを形成する。
【００５２】
バッテリ５は、パラメータメモリ４の記憶状態を保持するためのバックアップ用のバッテリである。
【００５３】
ＲＯＭ（Read Only Memory）６は、ＣＰＵ２が実行するファクシミリ装置１としての基本プログラムやこのファクシミリ装置１特有の通信制御プログラムを格納する。
【００５４】
キャラクタジェネレータ７は、Ｇ４ファクシミリ通信等で受信するキャラクタコードに基づいて所定のキャラクタデータ（文字データ）を発生する。
【００５５】
時計回路８は、発振器や分周器等を備え、時刻を計時する。時計回路８の計時結果は、送信文書の管理処理に使用される。
【００５６】
ＤＭＡコントローラ９は、ＣＰＵ２とＲＯＭ６及びメインメモリ３、パラメータメモリ４間等のデータの授受において、ＤＭＡ（Direct Memory Access）処理を実行し、すなわち、ＣＰＵ２を介さずにＲＯＭ６及びメインメモリ３、パラメータメモリ４のメモリ間だけでデータの授受を行わせてデータ転送処理中であってもＣＰＵ２のデータ処理を実効可能にする。このＤＭＡ処理はＣＰＵ２のデータ処理効率を良くするために所定の処理タイミングで実行される。
【００５７】
操作表示装置（指示手段）10は、テンキーやスタートキー等の各種操作キーを備えるとともに、ディスプレイ（例えば、液晶ディスプレイ）を備え、操作キーからは、送信操作等の各種命令が入力され、ディスプレイには、操作キーから入力された命令内容やファクシミリ装置１からオペレータに通知する各種情報が表示される。また、操作表示装置10では、通信制御処理が実行される際の自動発呼処理の使用と未使用を指示する操作キーが設定される。
【００５８】
プロッタ（記録手段、発呼情報出力手段）11としては、例えば、サーマル素子を利用したサーマル記録装置が使用されており、プロッタは感熱記録紙に直接、あるいは、普通記録紙にインクシートを介して間接的に画像を記録するとともに、後述する通信制御処理に際して通信結果レポートに発呼情報及びパラメータメモリ４に登録された番号情報を記録出力する。
【００５９】
スキャナ12としては、例えば、ＣＣＤ（Charge Coupled Device）を利用したイメージスキャナが利用されており、スキャナ12は、原稿を走査して原稿の画情報を読み取る。
【００６０】
符号化圧縮装置13、14は、所定の符号化方式により送信画像データを圧縮（符号化）し、符号再生装置15は、受信画像データを再生（復号化）する。
【００６１】
画像処理装置16は、画情報のハーフトーン処理や変倍処理等の画像処理を行う。補助記憶装置17は、Ｇ４ファクシミリ通信がＩＳＤＮ通信のとき、Ｂチャネルで転送されるデータ等を記憶する。
【００６２】
通信制御装置（通信手段）18には、複数の回線を収容するポート（図示略）が設けられており、このファクシミリ装置１では、Ｇ４回線用、Ｇ３外線用及びＧ３内線用のポートがある。通信制御装置18は、そのポート毎にＧ４用とＧ３用の網制御部やモデム等を内蔵し、通信制御装置１８には各ポートに回線、例えば、電話回線やデジタル回線が接続されている。通信制御装置18は、そのＧ４用とＧ３用の網制御部により呼の設定・解除を行い、この網制御部はいわゆる自動発・着呼型の網制御部で、自動的に発信操作および着信操作を行う。モデムは送信信号の変調および受信信号の復調を行う。通信制御装置18は、ファクシミリ通信時、相手Ｇ４ファクシミリ装置やＧ３ファクシミリ装置との間でファクシミリ制御信号の交換を行って通信機能の設定や各種制御情報の交換を行い、Ｇ４ファクシミリ通信及びＧ３ファクシミリ通信を制御する。
【００６３】
次に、作用を説明する。
ここでは、上記図１に示したファクシミリ装置１が、図３に示すような接続形態で接続されている場合の通信制御処理について説明する。
【００６４】
図３では、ファクシミリ装置１によるＦＡＸ１とＦＡＸ２が、それぞれＡ事業所とＢ事業所のＰＢＸ（交換機）を経由して専用線（内線）で接続されているとともに、外線としてアナログ回線とデジタル回線によっても接続されている。
【００６５】
この接続形態におけるファクシミリ装置１の通信制御処理について図４に示すフローチャートに基づいて説明する。
【００６６】
図４において、ファクシミリ装置１の操作表示装置10で発呼番号が入力され、送信モード（アナログ内線、アナログ外線及びデジタル外線）が選択され、発呼の自動変更指示のオン／オフ及びスタートボタンが押下されると（ステップＰ１〜Ｐ４）、ＣＰＵ２では、発呼自動変更指示がオンされたかどうかをチェックする（ステップＰ５）。発呼自動変更指示がオンされないときは、入力された発呼番号で通常の発呼処理を行い（ステップＰ６）、呼の接続を確認すると（ステップＰ７）、データを送出し（ステップＰ８）、その通信結果を通信履歴情報として記録して通信制御処理を終了する（ステップＰ９）。一方、ステップＰ７で呼の接続ができないときは、リダイヤル発呼処理を規定回数まで実行し（ステップＰ10）、規定回数までリダイヤル発呼処理を実行しても呼が接続できないときは、その発呼処理を中断して発呼失敗の情報を通信履歴情報に記録して通信制御処理を終了する（ステップＰ９）。
【００６７】
一方、ステップＰ５で発呼自動変更指示がオンされたときは、その発呼番号がパラメータメモリ４に登録されている発呼番号かどうかをチェックする（ステップＰ11）。登録されていないときは、上記ステップＰ６〜Ｐ10の通常の発呼処理を実行し、登録されているときは、まず、上記図２に示したように登録された発呼番号のうちＧ３内線（専用線）用の発呼番号により発呼し（ステップＰ12）、その呼の接続を確認する（ステップＰ13）。呼が接続したときは、データを送出し（ステップＰ14）、モデムトレーニング時にエラーが発生したかどうかをチェックする（ステップＰ15）。エラーが発生したときは、当該発呼先ファクシミリ通信端末のパラメータメモリ４に登録されている一連の発呼番号を記録したエラーレポートをプロッタ11から出力し（ステップＰ16）、その通信結果を通信履歴情報に記録して通信制御処理を終了する（ステップＰ９）。また、トレーニング時にエラーがなかったときは、通信結果を通信履歴情報に記録して通信制御処理を終了する（ステップＰ９）。
【００６８】
一方、ステップＰ13でＧ３内線で呼の接続ができないときは、同一宛先にＧ４外線用発呼番号で発呼して呼の接続を確認する（ステップＰ17、Ｐ18）。呼が接続したときは、上記ステップＰ14〜Ｐ16の処理によりデータを送出し、モデムトレーニング時のエラーチェック及びエラーレポートの出力を実行し、その通信結果を通信履歴情報に記録して通信制御処理を終了する（ステップＰ９）。また、Ｇ４外線でも呼が接続できなかったときは、Ｇ３外線用の発呼番号で発呼して呼の接続を確認する（ステップＰ19、Ｐ20）。呼が接続したときは、上記ステップＰ14〜Ｐ16の処理によりデータを送出し、モデムトレーニング時のエラーチェック及びエラーレポートの出力を実行し、その通信結果を通信履歴情報に記録して通信制御処理を終了する（ステップＰ９）。
【００６９】
また、呼が接続できなかったときは、上記Ｇ３内線からＧ３外線までの上記ステップＰ12〜Ｐ20までの発呼処理によるリダイヤル発呼処理を規定回数まで実行し（ステップＰ21）、呼が接続したときは、上記ステップＰ14〜Ｐ16の処理によりデータを送出し、モデムトレーニング時のエラーチェック及びエラーレポートの出力を実行し、その通信結果を通信履歴情報に記録して通信制御処理を終了する（ステップＰ９）。規定回数までリダイヤル発呼処理を実行しても呼が接続できないときは、その発呼処理を中断して発呼失敗の情報を通信履歴情報に記録して通信制御処理を終了する（ステップＰ９）。
【００７０】
以上のように、ファクシミリ装置１において通信制御処理が行われることにより、上記図３で示したようなファクシミリ装置１どうしがＧ３内線、Ｇ４外線及びＧ３外線と複数の回線で接続され、それぞれの回線に対応してパラメータメモリ４に登録された発呼番号のうち通信コストが低いものから順に発呼処理が行われることにより、確実に通信コストを低減することができる。
【００７１】
また、リダイヤル発呼による呼の接続が失敗したとき、あるいは、呼接続後のモデムトレーニングでエラーが発生したとき、当該発呼先の一連のパラメータメモリ４に登録された発呼番号がエラーレポートあるいは通信履歴情報に記録されて出力されるため、ファクシミリ装置１のオペレータは、エラーレポート及び通信履歴情報を確認することで発呼先の状態を把握して直ちに対処することができ、また、自動的にリダイヤル処理が実行されるため、オペレータの再発呼操作を省くことができる。
【００７２】
また、上記図４のフローチャートにおける一点鎖線内のステップＰ12〜Ｐ21処理は、図５に示すフローチャートに置き換えることもでき、この処理について説明する。図５において、上記図４のフローチャートと同一のステップ処理部分には、同一のステップ番号を付している。
【００７３】
すなわち、この処理では、○で囲んだステップＰ22とステップＰ23を追加したところだけが異なっており、Ｇ３内線による発呼とＧ４外線による発呼に際してそれぞれリダイヤル処理が追加されて、Ｇ３内線及びＧ４外線の発呼毎にリダイヤル発呼処理が実行される。
【００７４】
したがって、同様にオペレータの再発呼操作の手間を省くことができるとともに、リダイヤル発呼処理の間隔を短くすることができる。
【００７５】
次に、本発明を図面に基づいて説明する。図６〜図10は、本発明に係る通信装置を適用したファクシミリ蓄積交換装置の一実施例を示す図である。
【００７６】
図６は、ファクシミリ蓄積交換装置21のブロック図であり、ファクシミリ蓄積交換装置21は、システム制御部22、操作部23、記憶部24、回線交換制御部25、ＰＳＴＮ回線Ｉ／Ｆ部26、ＩＳＤＮ回線Ｉ／Ｆ部27、Ｇ３通信制御部ＡＮ１〜ＡＮｎ及びＧ４通信制御部ＤＮ１、ＤＮ２等から構成されている。
【００７７】
システム制御部22は、ＣＰＵ（Central Processing Unit）、ＲＯＭ（Read Only Memory）およびＲＡＭ（Random Access Memory）等を有し、ＲＯＭ内にはファクシミリ蓄積交換装置21としての基本プログラムや後述する本願各発明の通信制御処理プログラム等が格納されている。システム制御部22は、ＲＯＭ内のプログラムに従って、ファクシミリ蓄積交換装置21の各部を制御してファクシミリ蓄積交換装置21としてのシーケンスを実行するとともに、本願各発明の通信制御処理を実行する。
【００７８】
操作部23は、テンキー、ワンタッチキー、スタートキーおよび他の操作キー等が設けられているとともに、表示部が設けられており、操作キーにより各種コマンド等が入力され、表示部には、入力されたコマンドや  ファクシミリ蓄積交換装置21からオペレータに通知する各種情報が表示される。
【００７９】
記憶部（蓄積手段、登録手段）24は、ハードディスク等で構成され、システム制御部22の制御下で動作する。記憶部24は、ＰＳＴＮ回線Ｉ／Ｆ部26を介してＰＳＴＮ回線Ｐ１〜Ｐｎ及び内線Ｉ１〜ＩｎやＩＳＤＮ回線Ｉ／Ｆ部27を介してＩＳＤＮ回線ＤＬから送られてきた電文やその電文のサービスに必要な各種サービス情報等を記憶する。また、記憶部24には、特に、本実施例では、図７に示すようなＧ４−Ｇ３外線−Ｇ３内線の電話番号に対応する電話番号テーブルを登録するとともに、このテーブルでは発呼の優先順位をＡ、Ｂとして設定している。
【００８０】
この発呼優先順位の設定としては、
例えば、Ａの場合は、Ｇ３内線→Ｇ３外線→Ｇ４外線とし、
Ｂの場合は、Ｇ３外線→Ｇ３内線→Ｇ４外線とする。
【００８１】
また、Ｇ３通信制御部ＡＮ１〜ＡＮｎで発呼するときは、
例えば、所定の内線フラグ信号により内線Ｉ１〜ＩｎとＰＳＴＮ回線Ｐ１〜Ｐｎを使用するものとする。
【００８２】
回線交換制御部（回線制御手段）25は、ＰＳＴＮ回線Ｉ／Ｆ部26を介して内線Ｉ１〜ＩｎとＰＳＴＮ回線Ｐ１〜Ｐｎとの接続交換、内線Ｉ１〜Ｉｎ相互の接続交換および内線Ｉ１〜ＩｎやＰＳＴＮ回線Ｐ１〜ＰｎのＧ３通信制御部ＡＮ１〜ＡＮｎへの接続制御等を行う。
【００８３】
ＰＳＴＮ回線Ｉ／Ｆ部26には、外線としてＰＳＴＮ（公衆回線網）回線Ｐ１〜Ｐｎ及び内線Ｉ１〜Ｉｎが接続されており、各内線Ｉ１〜Ｉｎにはファクシミリ端末が接続されている。これらのファクシミリ端末としては、Ｇ３モードの通信機能を備えたものが接続されている。
【００８４】
ＩＳＤＮ回線Ｉ／Ｆ部27には、デジタル回線としてＩＳＤＮ回線ＤＬが接続され、デジタル回線ＤＬに接続されるファクシミリ端末はＧ４ファクシミリ通信の通信プロトコルを実行する機能を有する。ＩＳＤＮ回線Ｉ／Ｆ部27は、デジタル回線ＤＬのＧ４通信制御部ＤＮ１、ＤＮ２への接続制御等を行う。
【００８５】
Ｇ３通信制御部ＡＮ１〜ＡＮｎは、それぞれＧ３ファクシミリ通信の通信プロトコルを実行する機能を有しており、各Ｇ３通信制御部ＡＮ１〜ＡＮｎは、アナログ回線Ｉ／Ｆ部と回線交換制御部25を介して接続されるファクシミリ端末との間でＧ３モードのファクシミリ通信プロトコルを実行してＧ３ファクシミリ通信を行う。
【００８６】
Ｇ４通信制御部ＤＮ１、ＤＮ２は、デジタル回線ＤＬを介して接続されるファクシミリ端末との間でＧ４モードのファクシミリ通信手順を実行してファクシミリ通信を行う。
【００８７】
Ｇ３通信制御部ＡＮ１〜ＡＮｎ及びＧ４通信制御部ＤＮ１、ＤＮ２は、通信手段を構成する。
【００８８】
次に、作用を説明する。
本実施例では、上記図６に示したファクシミリ蓄積交換装置21が、図８に示すような接続形態で接続されている場合の通信制御処理について説明する。
【００８９】
図８では、ファクシミリ蓄積交換装置21によるＦＭＳＡとＦＭＳＢが、それぞれＡ事業所とＢ事業所のＰＢＸ（交換機）を経由して専用線（内線）で接続されているとともに、外線としてアナログ回線とデジタル回線によっても接続され、ＦＭＳＡとＦＭＳＢには、それぞれファクシミリ通信端末としてＦＡＸ−Ａ１〜Ａ４とＦＡＸ−Ｂ１〜Ｂ４が接続されている。また、Ｂ事業所内のＰＢＸには、ファクシミリ通信端末ＦＡＸ−Ｂが接続されている。
【００９０】
この接続形態におけるファクシミリ蓄積交換装置21の通信制御処理について図９に示すフローチャートに基づいて説明する。
【００９１】
図９において、上記図８のファクシミリ蓄積交換装置21によるＦＭＳＡあるいはＦＭＳＢに接続されたファクシミリ通信端末ＦＡＸ−Ａ１〜Ａ４とＦＡＸ−Ｂ１〜Ｂ４から送信要求があると、ファクシミリ蓄積交換装置21は、記憶部24に登録された上記図７に示したＧ４−Ｇ３外線−Ｇ３内線の電話番号に対応する電話番号テーブルを利用する発呼自動変更指示のオン（使用）／オフ（未使用）を確認する（ステップＱ１）。オフのときは、入力された発呼番号で通常の発呼処理を行い（ステップＱ２）、呼の接続を確認すると（ステップＱ３）、データを送出し（ステップＱ４）、その通信結果を通信履歴情報として記録して通信制御処理を終了する（ステップＱ５）。一方、ステップＱ３で呼の接続ができないときは、リダイヤル発呼処理を規定回数まで実行し（ステップＱ６）、規定回数までリダイヤル発呼処理を実行しても呼が接続できないときは、その発呼処理を中断して発呼失敗の情報を通信履歴情報に記録して通信制御処理を終了する（ステップＱ５）。
【００９２】
一方、ステップＱ１で発呼自動変更指示がオンされたときは、その発呼番号が記憶部24に登録されている発呼番号かどうかをチェックする（ステップＱ７）。登録されていないときは、上記ステップＱ２〜Ｑ６の通常の発呼処理を実行し、登録されているときは、まず、上記図７に示したように登録された発呼番号のうちＧ３内線（専用線）用の発呼番号により発呼し（ステップＱ８）、その呼の接続を確認する（ステップＱ９）。呼が接続したときは、データを送出し（ステップＱ10）、モデムトレーニング時にエラーが発生したかどうかをチェックする（ステップＱ11）。エラーが発生したときは、当該発呼先ファクシミリ通信端末の記憶部24に登録されている一連の発呼番号を記録したエラーレポートを送信依頼されたファクシミリ通信端末ＦＡＸ−Ａ１〜Ａ４、ＦＡＸ−Ｂ１〜Ｂ４に出力し（ステップＱ12）、その通信結果を通信履歴情報に記録して通信制御処理を終了する（ステップＱ５）。また、トレーニング時にエラーがなかったときは、通信結果を通信履歴情報に記録して通信制御処理を終了する（ステップＱ５）。
【００９３】
一方、ステップＱ９でＧ３内線で呼の接続ができないときは、同一宛先にＧ４外線用発呼番号で発呼して呼の接続を確認する（ステップＱ13、Ｑ14）。呼が接続したときは、上記ステップＱ10〜Ｑ12の処理によりデータを送出し、モデムトレーニング時のエラーチェック及びエラーレポートの出力を実行し、その通信結果を通信履歴情報に記録して通信制御処理を終了する（ステップＱ５）。また、Ｇ４外線でも呼が接続できなかったときは、Ｇ３外線用の発呼番号で発呼して呼の接続を確認する（ステップＱ15、Ｑ16）。呼が接続したときは、上記ステップＱ10〜Ｑ12の処理によりデータを送出し、モデムトレーニング時のエラーチェック及びエラーレポートの出力を実行し、その通信結果を通信履歴情報に記録して通信制御処理を終了する（ステップＱ５）。
【００９４】
また、呼が接続できなかったときは、上記Ｇ３内線からＧ３外線までの上記ステップＱ８〜Ｑ16までの発呼処理によるリダイヤル発呼処理を規定回数まで実行し（ステップＰ17）、呼が接続したときは、上記ステップＱ10〜Ｑ12の処理によりデータを送出し、モデムトレーニング時のエラーチェック及びエラーレポートの出力を実行し、その通信結果を通信履歴情報に記録して通信制御処理を終了する（ステップＱ５）。規定回数までリダイヤル発呼処理を実行しても呼が接続できないときは、その発呼処理を中断して発呼失敗の情報を通信履歴情報に記録して通信制御処理を終了する（ステップＱ５）。
【００９５】
以上のように、ファクシミリ蓄積交換装置21において通信制御処理が行われることにより、上記図８で示したようなファクシミリ蓄積交換装置21に送信依頼するファクシミリ通信端末ＦＡＸ−Ａ１〜Ａ４、ＦＡＸ−Ｂ１〜Ｂ４から入力される発呼番号に対して登録テーブルに登録された優先順位によりＧ３内線、Ｇ４外線及びＧ３外線と複数の回線で接続される発呼先に対して、それぞれの回線に対応して記憶部24に登録された発呼番号のうち通信コストが低いものから順に発呼処理が行われることにより、確実に通信コストを低減することができる。
【００９６】
また、リダイヤル発呼による呼の接続が失敗したとき、あるいは、呼接続後のモデムトレーニングでエラーが発生したとき、当該発呼先の一連の記憶部24に登録された発呼番号がエラーレポートあるいは通信履歴情報に記録されて送信依頼のあったファクシミリ通信端末ＦＡＸ−Ａ１〜Ａ４、ＦＡＸ−Ｂ１〜Ｂ４に出力されるため、各ファクシミリ通信端末ＦＡＸ−Ａ１〜Ａ４、ＦＡＸ−Ｂ１〜Ｂ４のオペレータは、エラーレポート及び通信履歴情報を確認することで発呼先の状態を把握して直ちに対処することができ、また、自動的にリダイヤル処理が実行されるため、オペレータの再発呼操作を省くことができる。
【００９７】
また、上記図４のフローチャートにおける一点鎖線内のステップＱ８〜Ｑ12処理は、図10に示すフローチャートに置き換えることもでき、この処理について説明する。図10において、上記図９のフローチャートと同一のステップ処理部分には、同一のステップ番号を付している。
【００９８】
すなわち、本実施例では、○で囲んだステップＱ18とステップＱ19を追加したところだけが異なっており、Ｇ３内線による発呼とＧ４外線による発呼に際してそれぞれリダイヤル処理が追加されて、Ｇ３内線及びＧ４外線の発呼毎にリダイヤル発呼処理が実行される。
【００９９】
したがって、同様にオペレータの再発呼操作の手間を省くことができるとともに、リダイヤル発呼処理の間隔を短くすることができる。
【図面の簡単な説明】
【０１００】
【図１】本発明の理解を助けるための通信装置を適用したファクシミリ装置のブロック図。
【図２】図１のファクシミリ装置のパラメータメモリに登録された発呼番号情報テーブルを示す図。
【図３】図１のファクシミリ装置が接続された事業所間の接続形態を示す図。
【図４】図１のファクシミリ装置における通信制御処理のフローチャート。
【図５】図４の通信制御処理で置き換えられるステップ部分のフローチャート。
【図６】本発明に係る通信装置を適用したファクシミリ蓄積交換装置のブロック図。
【図７】図６のファクシミリ蓄積交換装置の記憶部に登録された発呼番号情報テーブルを示す図。
【図８】図６のファクシミリ蓄積交換装置が接続された事業所間の接続形態を示す図。
【図９】図６のファクシミリ蓄積交換装置における通信制御処理のフローチャート。
【図１０】図９の通信制御処理で置き換えられるステップ部分のフローチャート。
【符号の説明】
【０１０１】
１    ファクシミリ装置
２    ＣＰＵ
３    メインメモリ
４    パラメータメモリ
10    操作表示装置
11    プロッタ
12    スキャナ
18    通信制御装置
21    ファクシミリ蓄積交換装置
22    システム制御部
23    操作部
24    記憶部
25    回線交換制御部
26    ＰＳＴＮ回線Ｉ／Ｆ部
27    ＩＳＤＮ回線Ｉ／Ｆ部
ＡＮ１〜ＡＮｎ    Ｇ３通信制御部
ＤＮ１、ＤＮ２    Ｇ４通信制御部
Ｐ１〜Ｐｎ    ＰＳＴＮ回線
Ｉ１〜Ｉｎ    内線
ＤＬ    ＩＳＤＮ回線
【図１】
0003727636.tif 000002
【図２】
0003727636.tif 000003
【図３】
0003727636.tif 000004
【図４】
0003727636.tif 000005
【図５】
0003727636.tif 000006
【図６】
0003727636.tif 000007
【図７】
0003727636.tif 000008
【図８】
0003727636.tif 000009
【図９】
0003727636.tif 000010
【図１０】
0003727636.tif 000011